(57)【要約】【課題】ローカルオシレータを不要な構成とし、高精度にかつ短時間のうちにクロック信号を生成すること。【解決手段】光送信装置１００では、データ信号１０の周波数よりも低周波域で、かつ、データレートが該データ信号１０の整数分の１に設定されたリファレンスクロック信号３０を生成し、データ信号１０とリファレンスクロック信号６０とが重畳された合成信号６０を光伝送信号６０ａに変換して光受信装置２００へ送信する。光受信装置２００では、重畳された光伝送信号を受信して電気信号に変換し、データ信号１０からリファレンスクロック信号６０を分離し、該リファレンスクロック信号６０を用いて、データ信号１０の周波数同期に必要な入力データ周波数近傍の初期化周波数の信号を再生し、該初期化周波数の信号に基づいて、入力データ周波数に同期したクロック信号２２０およびデータ信号２３０を再生する。【選択図】　　　　図９
2004056229.tif 000002
【特許請求の範囲】
【請求項１】
リファレンスクロック信号を含む光伝送信号を送信可能な装置であって、
送信するデータ信号の周波数よりも低周波域で、かつ、周波数が前記データ信号の周波数の整数分の１に設定されたリファレンスクロック信号を生成するリファレンス生成手段と、
前記データ信号と前記リファレンスクロック信号とが重畳された合成信号を作成する信号合成手段と、
前記合成信号を光伝送信号に変換して送信する光信号送信手段と
を具えたことを特徴とする光伝送装置。
【請求項２】
リファレンスクロック信号を含む光伝送信号を受信可能な装置であって、
送信するデータ信号の周波数よりも低周波域で、かつ、周波数が前記データ信号の周波数の整数分の１に設定されたリファレンスクロック信号を用い、
前記データ信号と前記リファレンスクロック信号とが重畳された光伝送信号を受信して、電気的な合成信号に変換する光信号受信手段と、
前記合成信号に重畳されたデータ信号とリファレンスクロック信号とを分離する分離手段と、
前記分離されたリファレンスクロック信号を用いて、前記分離されたデータ信号の周波数同期に必要な入力データ周波数近傍の初期化周波数の信号を生成する生成手段と、
前記初期化周波数の信号に基づいて、前記入力データ周波数に同期したクロック信号およびデータ信号を再生する再生手段と
を具えたことを特徴とする光伝送装置。
【請求項３】
光送信装置と光受信装置との間で、リファレンスクロック信号を含む光伝送信号を伝送する伝送方式であって、
前記光送信装置に、
送信するデータ信号の周波数よりも低周波域で、かつ、周波数が前記データ信号の周波数の整数分の１に設定されたリファレンスクロック信号を生成する工程と、
前記データ信号と前記リファレンスクロック信号とが重畳された合成信号を作成する工程と、
前記合成信号を光伝送信号に変換して送信する工程と
を具え、
前記光受信装置に、
前記データ信号と前記リファレンスクロック信号とが重畳された光伝送信号を受信して、電気的な合成信号に変換する工程と、
前記合成信号に重畳されたデータ信号とリファレンスクロック信号とを分離する工程と、
前記分離されたリファレンスクロック信号を用いて、前記分離されたデータ信号の周波数同期に必要な入力データ周波数近傍の初期化周波数の信号を生成する工程と、
前記初期化周波数の信号に基づいて、前記入力データ周波数に同期したクロック信号およびデータ信号を再生する工程と
を具えたことを特徴とする光伝送方式。
【発明の詳細な説明】
【０００１】
【発明の属する技術分野】
本発明は、光データ通信の分野に係り、受信装置側にローカルオシレータを必要としない、光伝送装置、および、光伝送方式に関する。
【０００２】
【従来の技術】
光データ通信を行うシステムは、通常、データを電気信号から光信号に変換して送信する送信装置と、伝送路を介して伝送された光信号を再度電気信号に変換する受信装置とによって構成されている。
【０００３】
図１１は、光送信装置１の構成例を示す。この装置１は、ＬＤドライバー２、コンデンサ３、レーザダイオード４、チョークコイル５、電流源６、電圧源Ｖｃ７などから構成されている。これにより、デジタル（０又は１）のデータ信号１０がＬＤドライバー２を介して入力され、レーザダイオード４がオン・オフして電気信号が光信号に変換されることにより、送信が行われる。
【０００４】
図１２は、光受信装置２０の構成例を示す。この装置２０は、フォトダイオード２１、プリアンプ２２、ポストアンプ２３、ＣＤＲ（Ｃｌｏｃｋ　Ｄａｔａ　Ｒｅｃｏｖｅｒｙ）２４などから構成される。これにより、伝送路を介して伝送された光信号は、フォトダイオード２１により電気信号に変換され、信号波形整形用のＣＤＲ２４に入力される。
【０００５】
このＣＤＲ２４には、予め回路動作の初期化を行うためにリファレンスクロック信号３０が外部のローカルオシレータ５０から別途入力されており、これにより周波数同期の処理がなされ、最終的にデータ周波数と同期がとられ、データ信号４０とクロック信号４１とが出力される。
【０００６】
【発明が解決しようとする課題】
図１２に示した光受信装置２０のＣＤＲ２４は、入力されたデータに対して、クロック信号の生成とそれによるデータの再生の必要があるため、必要不可欠な装置である。
【０００７】
しかし、この短時間のうちにかつ高精度に周波数同期をとるための初期化動作として、外部のローカルオシレータ５０からリファレンスクロック信号３０を常に高精度な状態で入力する必要がある。その結果、ローカルオシレータ５０も高精度な機能を必要とするため、コスト高となり、また、別途外部に設ける必要があることから部品点数が増え、装置全体が大型化することになる。
【０００８】
そこで、本発明の目的は、ローカルオシレータを不要な構成とし、高精度にかつ短時間のうちにクロック信号を生成することが可能な、光伝送装置、および、光伝送方式を提供することにある。
【０００９】
また、本発明の他の目的は、ローカルオシレータを不要な構成とし、安価で、低コストな構成とすることが可能な、光伝送装置、および、光伝送方式を提供することにある。
【００１０】
【課題を解決するための手段】
本発明は、リファレンスクロック信号を含む光伝送信号を送信可能な装置であって、送信するデータ信号の周波数よりも低周波域で、かつ、周波数が前記データ信号の周波数の整数分の１に設定されたリファレンスクロック信号を生成するリファレンス生成手段と、前記データ信号と前記リファレンスクロック信号とが重畳された合成信号を作成する信号合成手段と、前記合成信号を光伝送信号に変換して送信する光信号送信手段とを具えることによって、光伝送装置を構成する。
【００１１】
本発明は、リファレンスクロック信号を含む光伝送信号を受信可能な装置であって、送信するデータ信号の周波数よりも低周波域で、かつ、周波数が前記データ信号の周波数の整数分の１に設定されたリファレンスクロック信号を用い、前記データ信号と前記リファレンスクロック信号とが重畳された光伝送信号を受信して、電気的な合成信号に変換する光信号受信手段と、前記合成信号に重畳されたデータ信号とリファレンスクロック信号とを分離する分離手段と、前記分離されたリファレンスクロック信号を用いて、前記分離されたデータ信号の周波数同期に必要な入力データ周波数近傍の初期化周波数の信号を生成する生成手段と、前記初期化周波数の信号に基づいて、前記入力データ周波数に同期したクロック信号およびデータ信号を再生する再生手段とを具えることによって、光伝送装置を構成する。
【００１２】
本発明は、光送信装置と光受信装置との間で、リファレンスクロック信号を含む光伝送信号を伝送する伝送方式であって、前記光送信装置に、送信するデータ信号の周波数よりも低周波域で、かつ、周波数が前記データ信号の周波数の整数分の１に設定されたリファレンスクロック信号を生成する工程と、前記データ信号と前記リファレンスクロック信号とが重畳された合成信号を作成する工程と、前記合成信号を光伝送信号に変換して送信する工程とを具え、前記光受信装置に、前記データ信号と前記リファレンスクロック信号とが重畳された光伝送信号を受信して、電気的な合成信号に変換する工程と、前記合成信号に重畳されたデータ信号とリファレンスクロック信号とを分離する工程と、前記分離されたリファレンスクロック信号を用いて、前記分離されたデータ信号の周波数同期に必要な入力データ周波数近傍の初期化周波数の信号を生成する工程と、前記初期化周波数の信号に基づいて、前記入力データ周波数に同期したクロック信号およびデータ信号を再生する工程とを具えることによって、光伝送方式を構成する。
【００１３】
【発明の実施の形態】
以下、図面を参照して、本発明の実施の形態を詳細に説明する。
【００１４】
［第１の例］
本発明の第１の実施の形態を、図１〜図３に基づいて説明する。
【００１５】
本例では、光伝送装置として、光送信装置１００を例に挙げて説明する。
【００１６】
（送信装置構成１）
図１は、光送信装置１００の構成例を示す。
【００１７】
本装置１００は、データ信号受信部１０１と、リファレンス信号発生器１０２と、ミキサ１０３とを備えている。
【００１８】
データ信号受信部１０１は、所定の周波数、ここでは、例えば、１０ｋＨｚ以上からなる周波数ｆ１を基本周波数とするデータ信号１０を外部装置から受信する機能をもつ。
【００１９】
なお、本例では、データ信号１０を受信する構成としたが、これに限るものではなく、本装置１００内で受信したデータを加工して出力したり、データを生成するようにしてもよい。
【００２０】
リファレンス信号発生器１０２は、リファレンスクロック信号３０を生成する機能をもつ。ただし、このリファレンスクロック信号３０は、データ信号１０の周波数ｆ１よりも低周波域の周波数ｆ２（＜ｆ１）で、かつ、その周波数がデータ信号１０の周波数の整数分の１に設定されている。周波数ｆ２の値としては、例えば、１０ｋＨｚ未満の値とし、ここでは１０Ｈｚ〜１０ｋＨｚの間の値とする。
【００２１】
ミキサ１０３は、データ信号１０にリファレンスクロック信号３０が重畳された合成信号６０（すなわち、光伝送信号６０ａ）を作成する機能をもつ。この合成信号６０の周波数帯域は、ｆ＝ｆ１＋ｆ２の範囲となる。
【００２２】
また、この他の回路構成として、ミキサ１０３はＬＤドライバー２に接続され、このＬＤドライバー２の出力端子はコンデンサ３を介して、レーザダイオード４のカソード側およびチョークコイル５の一端に接続されている。レーザダイオード４のアノード側は、電圧源Ｖｃ７に接続されている。チョークコイル５の他端は、電流源６を介してアースされている。
【００２３】
（装置動作）
次に、本装置の動作について説明する。
【００２４】
データ信号受信部１０１により周波数ｆ１のデータ信号１０（０又は１のデジタル信号）が外部装置から受信され、リファレンス信号発生器１０２により周波数ｆ１よりも低周波域の周波数ｆ２のリファレンスクロック信号３０が生成される。これら各々生成された信号１０，３０は、ミキサ１０３に入力され、これにより重畳されて合成信号６０が作成される。この合成信号６０は、ＬＤドライバー２に入力されることにより、コンデンサ３を介して、レーザダイオード４のカソード側Ｐ点の電位レベルを変化させる。
【００２５】
例えば、カソード側Ｐ点での電位レベルがある一定レベルまで上昇したときは、レーザダイオード４はオフとなり動作せず、発光しない。これにより、カソード側の電位レベルは電源電圧＋Ｖｃに近いレベルまで引き上げられる。これに対して、カソード側Ｐ点での電位レベルが下降しアノード側よりも相当低くなったときは、レーザダイオード４はオンとなって発光する。
【００２６】
このように送信される信号内容に応じてレーザダイオード４がオン・オフして電気−光変換されることにより、合成信号６０（光伝送信号６０ａ）は光伝送路７０を通じて送信される。
【００２７】
なお、データ信号１０とリファレンスクロック信号３０とを合成してＬＤドライバー２に入力する例について説明したが、リファレンスクロック信号３０をＬＤドライバー２の出力に対して合成する方法を用いてもよい。
【００２８】
（光伝送信号の特性）
図２は、光伝送信号の周波数特性を示す。
【００２９】
光伝送信号６０ａすなわち合成信号６０は、データ信号１０と、リファレンスクロック信号３０とにより構成される。データ信号１０の周波数ｆ１は１０ｋＨｚ以上であり、リファレンスクロック信号３０の周波数ｆ２は１０Ｈｚ〜１０ｋＨｚ未満の範囲に設定されている。
【００３０】
（光伝送信号の形態）
図３（ａ）〜（ｃ）は、送信中の光伝送信号６０ａの信号形態を説明するための図である。
【００３１】
図３（ａ）は、通常のデータ信号１０の波形を示す。ハイ（Ｈｉｇｈ）レベルは、デジタル値の”１”に相当する。ロー（Ｌｏｗ）レベルは、デジタル値の”０”に相当する。
【００３２】
図３（ｂ）は、そのデータ信号１０の一部の領域Ａを拡大した波形を示す。１周期Ｔａは、”１”又は”０”を示す１ビットのデータ長に相当する。
【００３３】
図３（ｃ）は、本発明に係る、周波数ｆ２のリファレンスクロック信号３０に、周波数ｆ１（＞ｆ２）のデータ信号１０が重畳された光伝送信号６０ａの波形を示す。この信号波形が、ハイレベルと交差する点ａおよび点ｂの間の長さＴは、リファレンスクロック信号３０の１周期に相当する。
【００３４】
本例では、リファレンスクロック信号３０の周波数ｆ２は、データ信号１０の周波数ｆ１よりも低周波域で、かつ、そのデータレートは該データ信号の整数分の１に設定されている。
【００３５】
ここで、例を挙げて説明する。今、データ信号１０のデータ転送レートが１０Ｇ（ギガ）ビットのとき、その周期はＴａ＝１００ｐｓｅｃとなる。一方、リファレンスクロック信号３０は、データ信号の整数分の１に設定されていることから、周波数ｆ２＝１０Ｈｚであるとすると、その周期はＴ＝０．１ｓｅｃとなる。従って、Ｔ／Ｔａ＝０．１／（１００×１０−１２）＝１×１０９　の関係が成立する。このような関係を有する信号形態で、光伝送信号６０ａは光伝送されることになるため、ノイズ等に対しても影響を受けにくい常に安定した状態で伝送することができる。
【００３６】
上述したように、光送信装置１００において、光伝送信号６０ａに受信側で必要なリファレンスクロック信号３０を重畳させる機能を設けたので、光受信装置に従来のようなローカルオシレータを別個付加させる必要がなくなる。
【００３７】
［第２の例］
本発明の第２の実施の形態を、図４に基づいて説明する。なお、前述した第１の例と同一部分についてはその説明を省略し、同一符号を付す。
【００３８】
本例では、第１の例の光送信装置１００の変形例について説明する。
【００３９】
（送信装置構成２）
図４は、光送信装置２００の構成例を示す。
【００４０】
ここでは、データ信号１０およびリファレンスクロック信号３０の入力方法を変えたものである。すなわち、データ信号受信部１０１をＬＤドライバー２に直接接続する一方で、チョークコイル５のラインにリファレンス信号発生器１０２を接続し、直流電源８を介してアースする。
【００４１】
このような回路構成においても、前述した第１の例と同様に、光伝送信号６０ａとして、周波数ｆ１（１０ｋＨｚ以上）のデータ信号１０に周波数ｆ２（１０Ｈｚ〜１０ｋＨｚ）のリファレンスクロック信号３０を重畳した合成信号６０を生成することができる。
【００４２】
この光伝送信号６０ａに含まれたリファレンスクロック信号３０を用いて、受信側で光信号の波形を整形してクロック信号を生成することができる。
【００４３】
［第３の例］
本発明の第３の実施の形態を、図５〜図６に基づいて説明する。なお、前述した各例と同一部分についてはその説明を省略し、同一符号を付す。
【００４４】
本例は、光伝送装置として、光受信装置３００を例に挙げて説明する。
【００４５】
（受信装置構成１）
図５は、光受信装置３００の構成例を示す。
【００４６】
本装置３００は、光信号受信手段としてのフォトダイオード２０１と、分離手段としての分波器２０２と、２個のプリアンプ２０３と、ポストアンプ２０４と、ＣＤＲ（Ｃｌｏｃｋ　Ｄａｔａ　Ｒｅｃｏｖｅｒｙ）２０５とを備えている。
【００４７】
フォトダイオード２０１は、カソード側が−Ｖｃ電源に接続され、アノード側が分波器２０２に接続され、光−電気変換する機能をもつ。
【００４８】
分波器２０２は、ハイパスフィルタ（ＨＰＦ）とローパスフィルタ（ＬＰＦ）とから構成され、伝送されてきた光伝送信号６０ａを高周波成分の信号と低周波成分の信号とに分離する機能をもつ。
【００４９】
ＣＤＲ２０５は、入力されたデータ信号１０の波形を整形し、データ信号２２０とクロック信号２３０とを出力する機能をもつ。
【００５０】
図６は、ＣＤＲ２０５の構成例を示す。
【００５１】
ＣＤＲ２０５は、クロック抽出部２５０と、ＰＬＬ（Ｐｈａｓｅ−Ｌｏｃｋｅｄ　Ｌｏｏｐ）部２６０と、データ同期部２７０とから構成される。ＰＬＬ部２６０は、位相比較部（ＦＰＤ１，ＦＰＤ２）２６１と、スイッチ部２６２と、ＶＣＯ（Ｖｏｌｔａｇｅ　Ｃｏｎｔｒｏｌｌｅｄ　Ｏｓｃｉｌｌａｔｏｒ）２６３と、分周器２６４とに分けられる。
【００５２】
（装置動作）
次に、本装置の動作について説明する。
【００５３】
光伝送路７０から伝送されてきた、データ信号１０とリファレンスクロック信号３０とが重畳された合成信号６０（光伝送信号６０ａ）は、フォトダイオード２０１によって光−電気変換され、その変換された電気信号は分波器２０２に送られる。分波器２０２では、ＨＰＦにより周波数ｆ１（１０ｋＨｚ以上）のデータ信号１０を、ＬＰＦにより周波数ｆ２（１０Ｈｚ〜１０ｋＨｚ＜ｆ１）のリファレンスクロック信号３０をそれぞれ通過させる。そして、これら各信号１０，３０は、プリアンプ２０３、ポストアンプ２０４をそれぞれ介して、波形整形用のＣＤＲ２０５に入力される。
【００５４】
ＣＤＲ２０５は、入力されたデータ信号１０から新たにクロック信号２３０を生成すると共に、波形整形して出力されるデータ信号２２０とそのクロック信号２３０との位相調整を行う機能をもつ。しかし、このＣＤＲ２０５は、入力されたデータ信号１０に対して、高精度にかつ短時間で周波数同期をとる必要があるため、データ入力に際してＶＣＯ２６３の発振周波数を予め入力データ周波数の近くに制御しておく必要がある。
【００５５】
この必要性から、スイッチ部２６２の切替端子をまず端子ｂ側にセットしておき、入力データ周波数の整数分の１に設定されたリファレンスクロック信号３０を用いて、位相比較部（ＦＰＤ２）２６１とＶＣＯ２６３と分周器２６４とのループ回路により、ＶＣＯ２６３の発振周波数が入力データ周波数に近づくように制御する。このような制御によって、データ信号１０の周波数同期に必要な入力データ周波数近傍に制御された初期化周波数の信号を予め作成する。
【００５６】
そして、このようにして初期化周波数の信号を作成した後、スイッチ部２６２の切替端子を端子ａ側に切替えて引き込みを行い、今度はクロック抽出部２５０と位相比較部（ＦＰＤ１）２６１とＶＣＯ２６３とにより、データ信号１０の入力データ周波数に同期したクロック信号２３０を生成する。
【００５７】
このようにして生成されたクロック信号２３０は、データ同期部２７０に入力されると共に、外部に出力される。これにより、データ同期部２７０からは、クロック信号２３０と位相調整されかつ波形整形されたデータ信号２２０が出力される。
【００５８】
上述したように、光受信装置３００において、合成信号６０に重畳されたリファレンスクロック信号３０をデータ信号１０から分離して再生する機能を設けたので、従来のようなローカルオシレータを組み込む必要がなくなり、装置の小型化を図ることができると共に、部品点数を削減して低コスト化を図ることができる。
【００５９】
［第４の例］
本発明の第４の実施の形態を、図７に基づいて説明する。なお、前述した各例と同一部分についてはその説明を省略し、同一符号を付す。
【００６０】
本例は、第３の例の光受信装置３００の変形例について説明する。
【００６１】
（受信装置構成２）
図７は、光受信装置４００の構成例を示す。
【００６２】
本装置４００は、図５の回路構成と比較して、プリアンプ２０３を１個とすると共に、このプリアンプ２０３を分波器２０２の前段に配置して構成したものである。なお、装置の基本的な動作は、第３の例と同じである。
【００６３】
このような回路構成により、部品点数をさらに削減することができるため、低コスト化、小型化をさらに図ることができる。
【００６４】
［第５の例］
本発明の第５の実施の形態を、図８に基づいて説明する。なお、前述した各例と同一部分についてはその説明を省略し、同一符号を付す。
【００６５】
本例は、第３の例の光受信装置３００の他の変形例について説明する。
【００６６】
（受信装置構成３）
図８は、光受信装置５００の構成例を示す。
【００６７】
本装置５００は、図５の回路構成と比較して、分波器２０２をＬＰＦのみにより構成したものである。これに伴い、ＬＰＦは、フォトダイオード２０１のカソード側と、一方のプリアンプ２０３との間に接続される。また、フォトダイオード２０１のアノードは、他方のプリアンプ２０３に直接接続されている。なお、その他の構成および基本的な動作は、第３の例と同じである。
【００６８】
このように分波器２０２をより簡単に構成できるため、低コスト化および小型化をさらに図ることができる。
【００６９】
［第６の例］
本発明の第６の実施の形態を、図９および図１０に基づいて説明する。なお、前述した各例と同一部分についてはその説明を省略し、同一符号を付す。
【００７０】
本例では、光伝送方式を構築するシステム構成例について説明する。
【００７１】
（システム構成）
図９は、光伝送システム６００の構成例を示す。
【００７２】
本システムは、例えば、図１の光送信装置１００と、図５の光受信装置２００とを、光伝送路７０を介して接続することによって構成される。
【００７３】
図１０は、光伝送方法を示すフローチャートである。
【００７４】
まず、光送信装置１００において、以下のステップＳ１〜ステップＳ４の処理を実行する。
【００７５】
ステップＳ１では、所定の周波数ｆ１をもつデータ信号１０を外部装置から受信する。なお、データ信号１０は、受信した後に装置内部で加工して出力したり、独自に生成するようにしてもよい。
【００７６】
ステップＳ２では、データ信号１０の周波数ｆ１よりも低周波域で、周波数がデータ信号１０の周波数の整数分の１の周波数ｆ２（＜ｆ１）に設定されたリファレンスクロック信号３０を生成する。
【００７７】
ステップＳ３では、データ信号１０とリファレンスクロック信号３０とが重畳された合成信号６０を作成する。
【００７８】
ステップＳ４では、合成信号６０を光伝送信号６０ａに変換して、光受信装置２００へ送信する。
【００７９】
次に、光受信装置２００において、以下のステップＳ５〜ステップＳ８の処理を実行する。
【００８０】
ステップＳ５では、データ信号１０とリファレンスクロック信号３０とが重畳された光伝送信号６０ａを受信して、電気的な合成信号６０に変換する。
【００８１】
ステップＳ６では、合成信号６０に重畳されたデータ信号１０とリファレンスクロック信号３０とを分離する。
【００８２】
ステップＳ７では、分離されたリファレンスクロック信号３０を用いて、分離されたデータ信号１０の周波数同期に必要な入力データ周波数近傍の初期化周波数の信号を生成する。
【００８３】
ステップＳ８では、その初期化周波数の信号に基づいて、データ信号１０の入力データ周波数に同期したクロック信号２３０を再生する。また、このクロック信号２３０と同期したデータ信号２２０を再生する。
【００８４】
以上のようなシステム構成および信号処理により、従来のようなローカルオシレータを必要としない、簡素な構成で、低コストな光中継機を実現することができる。
【００８５】
なお、信号の生成・分離・再生の処理は、前述した例のようなハード的な構成のみを用いて作成してもよいが、本例で述べたようにプログラム等によるソフトウェア的な手段も含めた形で実行することも可能である。
【００８６】
【発明の効果】
以上説明したように、本発明によれば、光送信装置において、光伝送信号に受信側で必要なリファレンスクロック信号を重畳させる機能を設けたので、光受信装置側に従来のようなローカルオシレータを別個付加させる必要がなくなる。
【００８７】
また、本発明によれば、光受信装置において、光伝送信号に重畳されたリファレンスクロック信号をデータ信号から分離して再生する機能を設けたので、従来のようなローカルオシレータを組み込む必要がなくなり、装置の小型化を図ることができると共に、部品点数を削減して低コスト化を図ることができる。
【００８８】
さらに、本発明によれば、上記光送信装置および上記光受信装置を、光伝送路を介して接続することによって、従来のようなローカルオシレータを必要としない簡素な構成で、低コストな光中継機を構築することができる。
【図面の簡単な説明】
【図１】本発明の第１の実施の形態である、光送信装置の構成例１を示すブロック図である。
【図２】光伝送信号の周波数特性を示す特性図である。
【図３】リファレンスクロック信号にデータ信号が重畳された光伝送信号の信号形態を示す説明図である。
【図４】本発明の第２の実施の形態である、光送信装置の構成例２を示すブロック図である。
【図５】本発明の第３の実施の形態である、光受信装置の構成例１を示すブロック図である。
【図６】ＣＤＲの構成を示すブロック図である。
【図７】本発明の第４の実施の形態である、光受信装置の構成例２を示すブロック図である。
【図８】本発明の第５の実施の形態である、光受信装置の構成例３を示すブロック図である。
【図９】本発明の第６の実施の形態である、光伝送方式のシステム構成例を示すブロック図である。
【図１０】光伝送処理を示すフローチャートである。
【図１１】従来の光送信装置の構成を示すブロック図である。
【図１２】従来の光受信装置の構成を示すブロック図である。
【符号の説明】
２　ＬＤドライバー
３　コンデンサ
４　レーザダイオード
５　チョークコイル
６　電流源
１０　データ信号
３０　リファレンスクロック信号
６０　合成信号
６０ａ　光伝送信号
７０　光伝送路
１００　光送信装置
１０１　データ信号受信部
１０２　リファレンス信号発生器
１０３　ミキサ
２００　光送信装置
２０１　フォトダイオード
２０２　分波器
２０３　プリアンプ
２０４　ポストアンプ
２０５　ＣＤＲ
２２０　データ信号
２３０　クロック信号
２５０　クロック抽出部
２６０　ＰＬＬ部
２６１　位相比較部（ＦＰＤ１，ＦＰＤ２）
２６２　スイッチ部
２６３　ＶＣＯ
２６４　分周器
２７０　データ同期部
３００　光受信装置
４００　光受信装置
５００　光受信装置
６００　光伝送システム
【図１】
2004056229.tif 000003
【図２】
2004056229.tif 000004
【図３】
2004056229.tif 000005
【図４】
2004056229.tif 000006
【図５】
2004056229.tif 000007
【図６】
2004056229.tif 000008
【図７】
2004056229.tif 000009
【図８】
2004056229.tif 000010
【図９】
2004056229.tif 000011
【図１０】
2004056229.tif 000012
【図１１】
2004056229.tif 000013
【図１２】
2004056229.tif 000014